(57)【要約】【課題】  固定枠の熱膨張等に伴う密着材のジョイント部に生ずる隙間を隠蔽して太陽光が温室内に漏洩するのを防止する。【解決手段】  固定枠の片側に形成した円管部にカーテン端部を固定し、固定枠の他側に形成した固定部に合成ゴム等の弾力素材からなる扁平な密着材を取り付ける。固定枠の単位部材相互の相対する個所に跨って、前記円管部内に嵌合する小パイプに固定し且つ単位部材の端部が当接する掛止片を形成した調節体を取り付け、該調節体に、密着材相互の接合個所に臨む被覆片を備える。【選択図】図３
0003135468.tif 000002
【実用新案登録請求の範囲】
【請求項１】
駆動装置によって開閉移動するカーテン端部が所定長さを有する単位部材からなる固定枠の片側に形成した円管部に固定され、固定枠の他側に形成した固定部に合成ゴム等の弾力素材からなる扁平な密着材を取り付け、固定枠の単位部材相互の相対する個所に跨って、前記円管部内に嵌合する小パイプに固定し且つ単位部材の端部が当接する掛止片を形成した調節体を取り付けるとともに、該調節体に、密着材相互の接合個所に臨む被覆片を備えてなることを特徴とする温室カーテンの密着材装置。
【請求項２】
密着材は、カーテン相互が接離する関係位置にある場合、互いが接近して閉じたときに双方の端部が重ね合わせ状に密着することを特徴とする請求項１記載の温室カーテンの密着材装置。
【考案の詳細な説明】
【技術分野】
【０００１】  本考案は、固定枠に取り付けた温室カーテンの密着材装置に関する。
【背景技術】
【０００２】  電照菊栽培などに利用される温室カーテンは回転駆動装置により開閉移動するが、この場合カーテン端部には隙間防止のために密着材として合成ゴムなどの弾力性のある素材を用いる手法をとるのが一般的となっている（例えば特許文献１参照）。
【特許文献１】特開２００２−８８号公報
【考案の開示】
【考案が解決しようとする課題】
【０００３】  特許文献１に記載された技術は、図７のようにカーテン５０が固定枠５１に取り付けられ、固定枠５１の他方に位置するカーテン端部となる密着材５２が弾力性を有して互いに弾力的に密着して閉じられるため、それ以前の装置に比べて構造が簡素で無駄がなく、十分な密封状態が得られ、ほこりなどの付着することがない点ではそれなりの有効な機能を備えていることが理解される。しかしながら密着材５２を取り付けている固定枠５１は通常アルミ等の金属部材を数メートル単位で接合して構成されているため長期使用中には熱膨張現象を起こして長手方向に歪みや曲がりを生じ、それゆえ固定枠５１に取り付けられている密着材５２相互間にも長手方向に隙間が生じ、このため熱が逃げたり太陽光が不測に侵入するといった事態が発生する問題があった。そしてこの密着材５２の隙間を塞ぐためには簡単な接合手段がないために作業は容易でなく、そのための修復作業に労力と時間を要するという多大な不便を伴うものであり、したがって多少の隙間の発生はやむを得ないこととして放置されているのが実情といえる。【０００４】  本考案はこのような従来技術に鑑みてなされたものであり、その目的とするところは、従来以上の簡単な構造により、相互に開閉するカーテン端部が互いに密着することは勿論、架設材側面にも密着材が効率よく密着してカーテンの密封状態が保たれ、なかんずく密着材同士に隙間が生じても接合調節が容易にできて作業能率が従来に比して格段に向上し、温室内を絶えず快適状態に維持することで電照菊等の良好な生育が所期される温室カーテンの密着材装置を提供すること意図している。
【課題を解決するための手段】
【０００５】  上記目的を達成するために本考案は、駆動装置によって開閉移動するカーテン端部が所定長さを有する単位部材からなる固定枠の片側に形成した円管部に固定され、固定枠の他側に形成した固定部に合成ゴム等の弾力素材からなる扁平な密着材を取り付け、固定枠の単位部材相互の相対する個所に跨って、前記円管部内に嵌合する小パイプに固定し且つ単位部材の端部が当接する掛止片を形成した調節体を取り付けるとともに、該調節体に、密着材相互の接合個所に臨む被覆片を備えてなることを特徴としている。【０００６】  上記密着材は、カーテン相互が接離する関係位置にある場合、互いが接近して閉じたときに双方の端部が重ね合わせ状に密着することを特徴とする。
【考案の効果】
【０００７】  扁平な密着材の接合個所に、調節体に備えた被覆片が臨むので、熱膨張などにより固定枠に曲がりや歪みが発生して密着材の接合個所に隙間が生ずるような事態となっても、被覆片によって隙間部分が自動修復される形となるので太陽光の侵入が阻止される結果、電照菊等の栽培に支障を生じることがない。【０００８】  扁平な密着材は合成ゴム等の弾力素材からなるものであり、したがって従来の円管状形態のものと異なって収縮が抑えられて当接個所と密接し空気の介入や熱の逃げを可及的防止できる。【０００９】  カーテン相互が近接する位置にあるときは、重ね合わさった素材の復元作用により互いが隙間なく密着して一体的となり、密封状態となるので麈埃などの介入する余地がなく汚れを防止できる。
【考案を実施するための最良の形態】
【００１０】  図面に基づき本考案を説明すると、図１及び図２において、１は温室のカーテンであり、駆動装置（不図示）によって開閉移動し、カーテン端部２は、アルミ金属からなる固定枠１０の長手方向片側（図では左側）に突出形成した円管部１１に取り付けられている。カーテン端部２はこの円管部１１に巻装され、外側に臨ませた欠円形の抑え具１２で不動状に固定されるので脱出するおそれはない。【００１１】  固定枠１０の他側（図では右側）には、合成樹脂・合成ゴム等の弾力素材からなる扁平な密着材２０を取り付ける固定部１３が形成され、密着材２０の角形基端部２１が上記固定部１３内に嵌合されている。密着材２０は光が侵入しない黒色の素材で形成されている。【００１２】  密着材２０は、基部２２より先端部２３に向かい肉薄状に形成されている。基部２２の厚みは２ミリ強、先端部２３の厚みが１ミリ弱程度で、横幅は５センチ程度としてあり、固定枠１０の固定部１３に安定的に取り付けられ、先端部２３が架設材Ｋに隙間なく密着し、それゆえカーテン１が温室内に確実に張設される。【００１３】  固定枠１０は単位部材を複数本接合して構成されるもので、密着材２０も固定枠の単位部材と同数となる。図３〜図５は固定枠１０の接合個所に調節体３０を設けて密着材２０に生ずる隙間を塞ぐ例を示している。固定枠１０の素材であるアルミは熱によって膨張しやすいため固定枠１０が接合個所で歪曲変形し、その部分に隙間が生じると折角カーテン１で温室内を塞いでも太陽光の明かりが漏れてしまうといった懸念がある。そこで図示のように調節体３０を設けることによって隙間の隠蔽が可能となる。【００１４】  すなわち調節体３０は固定枠１０の単位部材相互の相対する個所に跨設されるもので、図示のように固定枠１０の外面に沿い取り付けられる。調節体３０の基部３１は小パイプ３２に固定してあり、この小パイプ３２の左右は、相対する固定枠１０相互の接合個所である円管部１１内に嵌合されている。【００１５】  調節体３０の基部３１には固定枠１０の円管部１１の端部が当接する掛止片３３が形成されていて基部３１内に介入する円管部１１をこの部分で少しく余裕を持たせることで熱膨張した分吸収でき、固定枠１０の歪曲変形を防止する。調節体３０の内部中央には仕切部３４があり、密着材２０の端部は仕切部３４で掛止されるが多少の余裕を持たせることは何ら不都合を生じない。【００１６】  ３５は調節体３０の先端の取付部３６に基部を取り付けた被覆片であり、密着材２０相互の接合個所に臨み、その部分の隙間を隠蔽する機能を有し、密着材２０と同色の同じ素材で形成される。密着材２０は固定枠１０の熱膨張等に伴って伸長したり変形することがあり端部は仕切部３４で掛止されるが、仕切部３４との間に余裕を持たせることで熱膨張しても吸収できる。そして隙間が生じても被覆片３５が存在するので、その部分は隠蔽されてあたかも密着材２０が連続しているかの観を呈し、また太陽光を遮断できる。【００１７】  図６は密着材２０が左右に対面して配置された例を示している。カーテン１が温室の中央で左右に開閉される場合はカーテン１相互が接離する関係となる。このとき夫々のカーテン１の端部に位置する密着材２０は��端部２３が図示のように重ね合わせ状とすることができ、こうすることによりカーテン１に隙間が生ずることはなく太陽光が不測に漏洩することはない。【００１８】  本考案は上記のように構成したことで熱膨張や収縮時における密着材２０に生ずるジョイント部の隙間を隠蔽することができ、従来課題であった面倒な修復作業を一挙に解消しえたもので、温室の経費節減に貢献するところ大なるものがある。
【図面の簡単な説明】
【００１９】
【図１】架設材にカーテン端部が臨む説明図である。
【図２】固定枠に密着材を取り付けた斜視図である。
【図３】調節体で密着材の接合個所を隠蔽する平面図である。
【図４】図３の要部を示す断面図である。
【図５】図３の背面図である。
【図６】左右のカーテン相互が密接する例を示す説明図である。
【図７】従来例を示す説明図である。
【符号の説明】
【００２０】  １    カーテン
２    カーテン端部
１０  固定枠
１１  円管部
１２  抑え具
１３  固定部
２０  密着材
２１  角形基端部
２２  基部
２３  先端部
Ｋ    架設材
３０  調節体
３１  基部
３２  小パイプ
３３  掛止片
３４  仕切部
３５  被覆片
３６  取付部
【図１】
0003135468.tif 000003
【図２】
0003135468.tif 000004
【図３】
0003135468.tif 000005
【図４】
0003135468.tif 000006
【図５】
0003135468.tif 000007
【図６】
0003135468.tif 000008
【図７】
0003135468.tif 000009